(57)【要約】【課題】理論的に非常に多数の潜在的に有用なマルチモーダルイオン交換リガンド構造が存在し、そして現在まで一定の標的に対してどれが最適なマルチモーダルイオン交換リガンドの特有の構造であるかを確定する、効率的で系統だったやり方が存在しない。【解決手段】本発明はクロマトグラフィーに有用なレジンライブラリーを調製する方法に関し、該方法は多様なマルチモーダルイオン交換レジンを作り出すこと；およびそれぞれのレジンが他のレジンと分けられて提示されるパラレルシステムでそのような多様性を提供することを含む。【選択図】図８【特許請求の範囲】
【請求項１】
クロマトグラフィーレジンのライブラリーを調製する方法であって、多様なマルチモーダルイオン交換レジンを作り出すこと；およびレジンがお互いに分けられて提示されるパラレルシステムで多様性を提供することを含む、方法。
【請求項２】
多様性を作り出すことがレジンの２以上のディスクリプターを計算すること、および計算されたディスクリプターを多変量解析と一緒に使用して第１主成分を持つレジンの多次元マップを生み出すことを含む、請求項１に記載の方法。
【請求項３】
マップを指針として使用してタンパク質精製に適切なレジンを選択する、請求項２に記載の方法。
【請求項４】
パラレルシステムがマルチウェルプレートである、先の請求項のいずれか１項に記載の方法。
【請求項５】
多様性が、基礎マトリックス特性；カップリングケミストリー；リガンド特性およびリガンド密度からなる群から選択される少なくとも１つの特性の変動を含む、先の請求項のいずれか１項に記載の方法。
【請求項６】
離れたコンパートメント中に提示される多様なマルチモーダルイオン交換レジンを含むライブラリー。
【請求項７】
レジンが非特異的なマルチモーダルイオン交換リガンドを含む、先の請求項のいずれか１項に記載のライブラリー。
【請求項８】
マルチモーダルアニオン交換レジンを含む、請求項７に記載のライブラリー。
【請求項９】
マルチモーダルカチオン交換レジンを含む、請求項７に記載のライブラリー。
【請求項１０】
少なくとも２つのウェルに異なるクロマトグラフィーレジンを有するマルチウェルプレートからなる、請求項６〜９のいずれか１項に記載のライブラリー。
【請求項１１】
タンパク質のような定義された物質の精製に適したリガンドを選択するための請求項６〜１１のいずれか１項に記載のライブラリーの使用。
【請求項１２】
連続した２以上のスクリーニング手順を含む、請求項１１に記載の使用。
【請求項１３】
パラレルクロマトグラフィーシステムを使用して少なくとも２つの異なるマルチモーダルイオン交換レジンへの標的物質の相対的結合を分析する方法であって以下のステップ：
（ａ）標的物質を含む溶液を提供すること；
（ｂ）該溶液を少なくとも２種の異なるレジンとパラレルに接触させること；
（ｃ）標的物質をレジンに結合させること；
（ｄ）少なくとも２種の異なるレジンの相対的結合を査定することを含む、方法。
【請求項１４】
レジンから物質を溶出するステップをさらに含む、請求項１３に記載の方法。
【請求項１５】
異なるレジンが異なるウェル中に提示されるマルチウェルプレートをパラレルクロマトグラフィーシステムが含む、請求項１３または１４に記載の方法。
【請求項１６】
パラレルクロマトグラフィーシステムが少なくとも２種のクロマトグラフィーカラムを含む、請求項１３または１４に記載の方法。
【請求項１７】
結合の査定がフロースルー（ｆｏｌｏｗ−ｔｈｒｏｕｇｈ）測定によって実行される、請求項１３〜１６のいずれか１項に記載の方法。
【請求項１８】
クロマトグラフィーレジンに由来する溶出条件を査定する方法であって、２以上のクロマトグラフィーレジンをパラレルシステムで提供すること；第１の実験セットにおいてそれぞれのレジンに対するｎ個の異なる溶出条件を試験すること；および第２の実験セットにおいてそれぞれのレジンに対するｍ個の異なる溶出条件を試験することを含み、第１および第２の実験セット間の試験条件に重複が存在する、方法。
【請求項１９】
試験条件が異なる塩濃度であり、そして重複が１種の塩濃度である、請求項１８に記載の方法。
【請求項２０】
第１の実験が塩濃度Ｃ１、Ｃ２、Ｃ３およびＣ４を含み、第２の実験が塩濃度Ｃ４、Ｃ５、Ｃ６およびＣ７を含む、請求項１９に記載の方法。
【請求項２１】
第３の実験セットを含み、第２および第３の実験間に重複が存在する、請求項１８〜２０のいずれか１項に記載の方法。
【発明の詳細な説明】
【技術分野】
【０００１】
本発明はクロマトグラフィーに有用なレジンを調製する方法であって、そのような多様なレジンを含む特異的ライブラリーを調製する方法、および定義された物質の精製に適したレジンを選択するための本発明に記載のライブラリーを使用する方法に関する。
【背景技術】
【０００２】
コンビナトリアルケミストリーは効果的で競争的な新薬を生み出すことに関連する時間および費用を軽減するための、医薬、農薬、およびバイオテクノロジー産業において開発された重要で新規な方法論の１種である。手短に言えば、コンビナトリアルケミストリーは、標的分子、一般には薬物標的とライブラリー中の１以上の化合物間の結合の検出によって初めに示されるような、特有の生物活性を有する分子の非常に多数を効率的にスクリーニングできる大きな分子集団、またはライブラリーを作り出すために使用される。より大きく、より多様な化合物ラブラリーを生み出すことにより、治療的および商品価値の高い新規な化合物を発見する確率は増大する。伝統的な薬物デザインと同じように、コンビナトリアルケミストリーは有機合成方法論に頼る。違いは範囲であり、単一の化合物を合成するかわりに；コンビナトリアルケミストリーはオートメーションおよび小型化を利用して、大きなライブラリーの化合物を合成する。バイオポリマーのライブラリーはアミノ酸、ヌクレオチド、もしくは糖残基、またはその組み合わせの任意の添加を基礎にした連続合成により調製され、ペプチド、ＲＮＡ、多糖、グリコサミノグリカンなどを形成し、それによってオリゴマーの任意の混合物を調製する。ファージディスプレイおよび類似のテクノロジーにより核酸レベルでタンパク質またはペプチドライブラリーを調製するために適した技術も公知である。
【０００３】
簡潔に述べると、創薬に使用されるスクリーニング法の一般的な特徴は、それらが非常に多様な薬物候補がスクリーニングされる第１スクリーニングを含み、その後第１ステップの結果に基づいて作り出された第２の多様な候補がスクリーニングされることである。
【０００４】
米国特許第６，７９４，１４８号（Ｐｅｒｃｅｐｔｉｖｅ）は、関心のある標的に対するリガンドを選択するために試料をスクリーニングする、ならびにリガンドおよびその結合特性についての情報を得るための方法に関する。より明確には、開示された方法は不均一なリガンド溶液を関心のある標的と合わせて、１以上の結合特性を基礎にしてリガンドをスクリーニングすることを含む。第１の結合特性を有するリガンドは関心のある標的に結合し、それによって標的／リガンド複合体を形成する。その後複合体は場合により非結合成分から分けられてもよい。次に複合体または非結合成分は第２の結合特性を基礎にして成分を分けることが可能な第２の「次元」に導入される。試料溶液はいずれのタンパク質の消化により得られてもよく、そして標的はたとえばカラム上に固定化されてもよい。従って、この方法では、リガンド多様性は溶液中に提供され、関心のある標的は固体支持体に固定化されることになる。開示された方法は薬剤的に活性な成分の調製に有用である。
【０００５】
米国特許第６，３７２，４２５号（Ｍｅｒｃｋ  Ｃｏ．Ｉｎｃ）は、高分子の大規模なアフィニティークロマトグラフィー、より明確には以下：
（１）（ａ）選択された主要中和エピトープ（ＳＰＮＥ）候補オリゴヌクレオチドを含む多数のオリゴヌクレオチドを発現するファージ発現ライブラリーを調製すること；
（ｂ）本質的に純粋な抗体の調製物を固相支持体に結合すること、および固相に支持された抗体をファージライブラリーと一緒にインキュベーションし、固相に支持された抗体にＳＰＮＥを結合させることを含むプロセスにより、どの候補オリゴヌクレオチドが高分子のＳＰＮＥであるかを確定するためにファージライブラリーをスクリーニングすること；
（ｃ）表面プラズモン共鳴を使用してＳＰＮＥ‐抗体相互作用の結合定数および解離定数を確定すること、および確認されたＳＰＮＥからリガンドを選択することからなるステップを含む、リガンドを選択すること
（２）リガンドを複製して複数のリガンドを生み出すこと；
（３）支持マトリックスにリガンドを結合し、結合リガンドを生み出すこと；
（４）結合リガンドを含むクロマトグラフィーカラムを使用して、抗体を含む不純な溶液に対してカラムクロマトグラフィーを実施すること：を含む、不純な溶液中に存在する、リガンドに結合する抗体を生成する方法に関する。
【０００６】
従って、液体クロマトグラフィーは、コンビナトリアルライブラリーのスクリーニングにおける、とりわけ製薬産業における手段としてしばしば使用されてきた。しかし、いったんバイオテクノロジーにより生み出された１つの特有の薬物候補、たとえばタンパク質薬物候補がスクリーニングから選択されると、その工業的製造のための確かな方法を調製することからなる実質的に骨の折れる仕事が依然として存在する。そのような工業的製造は一般に、大腸菌のような細胞の遺伝的操作；タンパク質薬物を発現させるためのそのような細胞の発酵；および最後に十分な収率で薬剤的に受容できる純度に帰着する効率的な精製スキームのステップを含む。その上、液体クロマトグラフィーはワンステップとして、または連続精製ステップとしてしばしば使用される。
【０００７】
多くの公知のクロマトグラフィーの原理があり、たとえば抗体標的に結合するリガンドとしての抗原、標的受容体に結合する酵素リガンドなどのように、２つの化学種間の生物学的アフィニティーが利用されるアフィニティークロマトグラフィー；リガンドと、反対に荷電した標的間の電荷牽引力を利用するイオン交換クロマトグラフィー；およびリガンドの疎水性を利用して疎水性標的と相互作用する、疎水性相互作用クロマトグラフィーが挙げられる。相互作用の混合物または組み合わせを使用するより最近のクロマトグラフィーの原理は、マルチモーダルクロマトグラフィーとして公知である。たとえば、Ｊｏｈａｎｓｓｏｎ  ｅｔ  ａｌ（Ｊｏｕｒｎａｌ  ｏｆ  Ｃｈｒｏｍａｔｏｇｒａｐｈｙ  Ａ，１０１６（２００３）３５−４９：Ｐｒｅｐａｒａｔｉｏｎ  ａｎｄ  ｃｈａｒａｃｔｅｒｉｚａｔｉｏｎ  ｏｆ  Ｐｒｏｔｏｔｙｐｅｓ  ｆｏｒ  ｍｕｌｔｉｍｏｄａｌ  ｓｅｐａｒａｔｉｏｎ  ａｉｍｅｄ  ｆｏｒ  ｃａｐｔｕｒｅ  ｏｆ  ｐｏｓｉｔｉｖｅｌｙ  ｃｈａｒｇｅｄ  ｂｉｏｍｏｌｅｃｕｌｅｓ  ａｔ  ｈｉｇｈ−ｓａｌｔ  ｃｏｎｄｉｔｉｏｎｓ）は、発酵飼料からタンパク質が精製される場合によくある事例である高い塩濃度でのタンパク質の捕捉にとって、カルボン酸を基礎にした芳香族マルチモーダルカチオン交換体リガンドが最適であると考えられることを開示する。開示されたマルチモーダルカチオン交換リガンドの一般的な特徴は、それらがカルボキシル基に近い水素アクセプター基を含むことである。さらに、Ｊｏｈａｎｓｓｏｎ  ｅｔ  ａｌ（Ｊｏｕｒｎａｌ  ｏｆ  Ｃｈｒｏｍａｔｏｇｒａｐｈｙ  Ａ，１０１６（２００３）２１−３３：Ｐｒｅｐａｒａｔｉｏｎ  ａｎｄ  ｃｈａｒａｃｔｅｒｉｚａｔｉｏｎ  ｏｆ  ｐｒｏｔｏｔｙｐｅｓ  ｆｏｒ  ｍｕｌｔｉ−ｍｏｄａｌ  ｓｅｐａｒａｔｉｏｎ  ａｉｍｅｄ  ｆｏｒ  ｃａｐｔｕｒｅ  ｏｆ  ｎｅｇａｔｉｖｅｌｙ  ｃｈａｒｇｅｄ  ｂｉｏｍｏｌｅｃｕｌｅｓ  ａｔ  ｈｉｇｈ−ｓａｌｔ  ｃｏｎｄｉｔｉｏｎｓ）は、第１および第２アミンを基礎にしたマルチモーダルアニオン交換リガンドが高い塩濃度においてタンパク質の捕捉に等しく有用でありうることを開示する。これらのマルチモーダルアニオン交換体はイオン基の近傍にヒドロキシル基を含む。
【０００８】
米国特許第７，１４４，７４３号（Ｃｉｐｈｅｒｇｅｎ  Ｂｉｏｓｙｓｔｅｍｓ）は、固体基質、および分離科学および分析生化学の状況においてそれらを作り、そして使用するプロセスに関する。より明確には、固体基質は固体支持体；複素環、複素環式芳香族、または芳香族であり、そして硫酸、スルホン酸、リン酸、またはホスホン酸基によって置換される、単環または多環基；およびメルカプト−、エーテル−、またはアミノ−含有部分を含む結合基からなる。結合基は単環または多環基を固体支持体に結合する。本明細書に記載の本固体基質の利点の１つは、イムノグロブリンのような生物学的物質に対する高度な選択性および特異性であり、先行技術の基質にとって必要な、費用が掛かり、しばしば有害なクリーニングプロセスも回避される。とりわけ２種の異なるフォーマットが企図される。フォーマットの１つでは、固体支持体はクロマトグラフィー媒体に典型的に使用される形態、すなわちビーズまたは粒子からなる。これらのビーズまたは粒子は混合モードリガンドにより誘導体化される。ビーズまたは粒子は、カラムを充填するために使用することができるクロマトグラフィー媒体を形成する。別のフォーマットでは、固体支持体はチップの形態をとる、すなわち、固体支持体は混合モードリガンドが共有結合または他の様式で結合することができるだいたいは平坦な表面を有する。そのようなバイオチップ、またはマイクロアレイフォーマットでは、捕捉試薬：本発明の状況では結合基と単環または多環基の組み合わせが結合するだいたいは平坦な表面を基質が提示する。従って、バイオチップは、定義された領域または部位、より典型的には定義された領域または部位の集まりを提示し、分析物はその上に選択的に捕捉されてもよい。捕捉されると、分析物は検出されて場合により多様な技術により性状が解析されうる。
【０００９】
Ｗｅｂｂ  ｅｔ  ａｌはコンビナトリアルリガンドライブラリーを既に記載し：ａｂｃ  Ｔｅｃｈｎｏｌｏｇｉｅｓ  Ｃｏｎｆｅｒｅｎｃｅ，Ｂａｓｌｅ，Ｓｗｉｔｚｅｒｌａｎｄ，２６−２７  Ｊａｎｕａｒｙ  ２００５：ＣｈｅｍＳｐｅｅｄ  Ｇｅｎｅｒａｔｉｏｎ  ｏｆ  Ｃｏｍｂｉｎａｔｏｒｉａｌ  Ｌｉｂｒａｒｉｅｓ  ｏｆ  Ｃｈｒｏｍａｔｏｇｒａｐｈｙ  Ｍｅｄｉａ：Ａｐｐｌｉｃａｔｉｏｎ  ｔｏ  Ｐｕｒｉｆｉｃａｔｉｏｎ  ｏｆ  Ｔｈｅｒａｐｅｕｔｉｃ  Ｐｒｏｔｅｉｎｓ（Ｍａｔｔｈｅｗ  Ｊ．Ｗｅｂｂ，Ｊｉｍ  Ｃ．Ｐｅａｒｓｏｎ，Ｈｅｌｅｎ  Ｒ．Ｔａｔｔｏｎ，Ｂｅｎ  Ｍ．Ｂｅａｃｏｍ  ＆  Ｊａｓｏｎ  Ｒ．Ｂｅｔｌｅｙ）のポスターを参照されたい。このライブラリーのリガンドはトリアジンリガンドであり、該リガンドはアフィニティーリガンド、すなわちタンパク質の１種の生物学的機能クラスだけに結合することが可能であるリガンドと見なされる。実際、Ｗｅｂｂリガンドはタンパク質の１種のサブクラスだけに結合可能であるため、高度に特異的なアフィニティーリガンドである。
【００１０】
いくつかのより最近の特許および特許出願は、タンパク質精製および他の分離プロトコルにおける使用のための種々のマルチモーダルイオン交換リガンドに関する。しかし、理論的に非常に多数の潜在的に有用なマルチモーダルイオン交換リガンド構造が存在し、そして現在まで一定の標的に対してどれが最適なマルチモーダルイオン交換リガンドの特有の構造であるかを確定する、効率的で系統だったやり方が存在しない。
【先行技術文献】
【特許文献】
【００１１】
【特許文献１】米国特許第６，７９４，１４８号
【特許文献２】米国特許第６，３７２，４２５号
【特許文献３】米国特許第７，１４４，７４３号
【特許文献４】欧州特許第１０９４８９９号
【特許文献５】米国特許第６，７０２，９４３号
【特許文献６】ＷＯ０１／３８２２８
【特許文献７】ＷＯ０３／０２４５８８
【非特許文献】
【００１２】
【非特許文献１】Ｊｏｈａｎｓｓｏｎ  ｅｔ  ａｌ（Ｊｏｕｒｎａｌ  ｏｆ  Ｃｈｒｏｍａｔｏｇｒａｐｈｙ  Ａ，１０１６（２００３）３５−４９；Ｐｒｅｐａｒａｔｉｏｎ  ａｎｄ  ｃｈａｒａｃｔｅｒｉｚａｔｉｏｎ  ｏｆ  Ｐｒｏｔｏｔｙｐｅｓ  ｆｏｒ  ｍｕｌｔｉｍｏｄａｌ  ｓｅｐａｒａｔｉｏｎ  ａｉｍｅｄ  ｆｏｒ  ｃａｐｔｕｒｅ  ｏｆ  ｐｏｓｉｔｉｖｅｌｙ  ｃｈａｒｇｅｄ  ｂｉｏｍｏｌｅｃｕｌｅｓ  ａｔ  ｈｉｇｈ−ｓａｌｔ  ｃｏｎｄｉｔｉｏｎｓ
【非特許文献２】Ｊｏｈａｎｓｓｏｎ  ｅｔ  ａｌ（Ｊｏｕｒｎａｌ  ｏｆ  Ｃｈｒｏｍａｔｏｇｒａｐｈｙ  Ａ，１０１６（２００３）２１−３３：Ｐｒｅｐａｒａｔｉｏｎ  ａｎｄ  ｃｈａｒａｃｔｅｒｉｚａｔｉｏｎ  ｏｆ  ｐｒｏｔｏｔｙｐｅｓ  ｆｏｒ  ｍｕｌｔｉ−ｍｏｄａｌ  ｓｅｐａｒａｔｉｏｎ  ａｉｍｅｄ  ｆｏｒ  ｃａｐｔｕｒｅ  ｏｆ  ｎｅｇａｔｉｖｅｌｙ  ｃｈａｒｇｅｄ  ｂｉｏｍｏｌｅｃｕｌｅｓ  ａｔ  ｈｉｇｈ−ｓａｌｔ  ｃｏｎｄｉｔｉｏｎｓ
【非特許文献３】Ｗｅｂｂ  ｅｔ  ａｌ：ａｂｃ  Ｔｅｃｈｎｏｌｏｇｉｅｓ  Ｃｏｎｆｅｒｅｎｃｅ，Ｂａｓｌｅ，Ｓｗｉｔｚｅｒｌａｎｄ，２６−２７  Ｊａｎｕａｒｙ  ２００５：ＣｈｅｍＳｐｅｅｄ  Ｇｅｎｅｒａｔｉｏｎ  ｏｆ  Ｃｏｍｂｉｎａｔｏｒｉａｌ  Ｌｉｂｒａｒｉｅｓ  ｏｆ  Ｃｈｒｏｍａｔｏｇｒａｐｈｙ  Ｍｅｄｉａ：Ａｐｐｌｉｃａｔｉｏｎ  ｔｏ  Ｐｕｒｉｆｉｃａｔｉｏｎ  ｏｆ  Ｔｈｅｒａｐｅｕｔｉｃ  Ｐｒｏｔｅｉｎｓ（Ｍａｔｔｈｅｗ  Ｊ．Ｗｅｂｂ，Ｊｉｍ  Ｃ．Ｐｅａｒｓｏｎ，Ｈｅｌｅｎ  Ｒ．Ｔａｔｔｏｎ，Ｂｅｎ  Ｍ．Ｂｅａｃｏｍ  ＆  Ｊａｓｏｎ  Ｒ．Ｂｅｔｌｅｙ
【非特許文献４】Ａｌｂｅｒｔ  Ｌｅｈｎｉｎｇｅｒ，Ｓｈｏｒｔ  Ｃｏｕｒｓｅ  ｉｎ  Ｂｉｏｃｈｅｍｉｓｔｒｙ，Ｗｏｒｔｈ  Ｐｕｂｌｉｓｈｅｒｓ  Ｉｎｃ．１９７３（ＩＳＢＮ  ０−８７９０１−０２４−Ｘ），Ｐａｒｔ１：Ｂｉｏｍｏｌｅｃｕｌｅｓ，表３−４，ｐ．５４
【非特許文献５】Ａｌｂｅｒｔ  Ｌ．Ｌｅｈｎｉｎｇｅｒ（ＩＳＢＮ  ２−２５７−１５００９−０）によるＢｉｏｃｈｉｍｉｅ，Ｐ．６１
【非特許文献６】Ｊ．Ｅ．Ｊａｃｋｓｏｎ，Ａ  ｕｓｅｒｓ  ｇｕｉｄｅ  ｔｏ  ｐｒｉｎｃｉｐａｌ  ｃｏｍｐｏｎｅｎｔｓ，Ｊｏｈｎ  Ｗｉｌｅｙ  ＆  Ｓｏｎｓ，１９９１
【発明の概要】
【００１３】
本発明の一側面は、えり抜きの多様なマルチモーダルイオン交換リガンドを含むクロマトグラフィーライブラリーを調製する方法を提供することである。ライブライリーが多様性の大きい比較的少数のレジンを提示し、それゆえその後の非常に多数のレジンのスクリーニングを回避するような方法が特有の側面である。
【００１４】
本発明の特有の側面は、コンピュータに補助されたデザインを利用して、最も少数の候補レジンによりできるだけ大きな多様性を得ることである。このことは新規な選択性に対する効率的なスクリーニングを可能にするが、仕事量および関連する費用は軽減される。
【００１５】
本発明の別の側面はレジンの多様性を含むマルチモーダルイオン交換リガンドのライブラリーを調製することであり、ここではリガンド構造、リガンド密度などのような特徴がレジン間で異なる。マルチモーダルイオン交換レジンはマルチモーダルカチオン交換リガンドまたはマルチモーダルアニオン交換リガンドを含んでいてもよい。
【００１６】
本発明の付加的な側面は、少なくとも１種のクロマトグラフィーレジンの確認および選択に本発明に記載のライブライリーの使用を提供することである。
【００１７】
上記の１以上の側面は、添付の特許請求の範囲によって定義される本発明によって達成されてもよい。本発明の付加的な側面、詳細および利点は以下の詳細な説明および特許請求の範囲から明らかになる。
【図面の簡単な説明】
【００１８】
【図１】図１はカチオン交換リガンド分子ディスクリプターの前処理データのスコアプロット（ＰＣ１／ＰＣ２）である。
【図２】図２はカチオン交換リガンド分子ディスクリプターの前処理データの拡大スコアプロット（ＰＣ１／ＰＣ２）である。
【図３】図３はカチオン交換リガンド分子ディスクリプターの前処理データのスコアプロット（ＰＣ３／ＰＣ４）である。
【図４】図４は前処理データのスコアプロット（ＰＣ３／ＰＣ４）である。
【図５】図５はＰＣＡ分析後の拒絶のためのリガンド候補を示す。
【図６】図６は実施例３に記載のスクリーニングを示す。
【図７】図７は実施例５に記載のスクリーニングを示す。
【図８】本発明に記載の方法に有用なスクリーニング法を図式で示す。
【発明を実施するための形態】
【００１９】
定義
「マルチモーダル」イオン交換リガンドという用語は、本明細書では、荷電した基に加えて、疎水性基、水素結合を介して相互作用が可能な基などのような、少なくとも１つの他の官能基をさらに含むリガンドを意味する。マルチモーダルイオン交換リガンドという用語は本明細書で使用するように、非特異的であることが公知である。従って、マルチモーダルイオン交換リガンドという用語は、本明細書では以下に検討されるように、生物学的機能に従ったタンパク質の公知の分類によって定義される２種以上の異なるクラスのタンパク質を結合可能なマルチモーダルイオン交換リガンドを意味する。言い換えると、本明細書で使用するように、「非特異的マルチモーダル」イオン交換リガンドという用語は、「アフィニティー」クロマトグラフィーリガンドとして公知の特有の種類のクロマトグラフィーリガンドを含まない。
【００２０】
「アフィニティーリガンド」という用語は、クロマトグラフィー分野内での慣用の意味において、すなわち「鍵穴／鍵」の種類の相互作用において標的に特異的に結合することが可能なリガンドに対して使用され、ここで「鍵」（アフィニティーリガンド）は「鍵穴」（タンパク質のクラス、サブクラスまたは化学種）に特異的である。そのような特異的アフィニティー相互作用の公知の例としては、たとえば抗原への抗体の結合；および受容体への酵素の結合がある。
【００２１】
本明細書で使用する「タンパク質クラス」という用語は、当該技術分野における多くのハンドブックに記載されるように、生物学的機能に従ったタンパク質の分類を表し、たとえば、Ａｌｂｅｒｔ  ＬｅｈｎｉｎｇｅｒによるＳｈｏｒｔ  Ｃｏｕｒｓｅ  ｉｎ  Ｂｉｏｃｈｅｍｉｓｔｒｙ，Ｗｏｒｔｈ  Ｐｕｂｌｉｓｈｅｒｓ  Ｉｎｃ．１９７３（ＩＳＢＮ  ０−８７９０１−０２４−Ｘ），Ｐａｒｔ１：Ｂｉｏｍｏｌｅｃｕｌｅｓ，表３−４，ｐ．５４；およびＡｌｂｅｒｔ  Ｌ．Ｌｅｈｎｉｎｇｅｒ（ＩＳＢＮ  ２−２５７−１５００９−０）によるＢｉｏｃｈｉｍｉｅ，Ｐ．６１を参照されたい。簡潔に述べると、生物学的タンパク質クラスは、リボヌクレアーゼおよびトリプシンのような酵素；卵白アルブミンおよびフェリチンのような貯蔵タンパク質；アクチンおよびミオシンのような収縮タンパク質；抗体、フィブリノゲンおよびトロンビンのような血液の保護タンパク質；ボツリヌスおよびジフテリアのような毒素；インスリンおよびソマトトロピンのようなホルモン；ならびにケラチンおよびコラーゲンのような構造タンパク質である。
【００２２】
「物質」という用語は、本明細書では単一要素もしくは化合物、または要素および／または化合物の混合物を意味する。
【００２３】
本明細書で使用するレジン「ライブラリー」という用語は、えり抜きの異なるレジンを提供し、ここでは基礎マトリックス（天然または合成ポリマーなど）の特質；基礎マトリックスの他の特質（多孔性、粒子サイズなど）；基礎マトリックスに結合したリガンドの化学構造；リガンド密度；および／または他の特質のような１以上の特質が変化している。
【００２４】
２種以上のレジンの「パラレル」システムという用語は、本明細書ではレジンが実質的に同時に、および／または同じオペレーターによって、好ましくは同じ実験において使用されることを意味する。レジンが別個の試験管において並んで試験されうる慣用のラボベンチ実験に比べ、「統合パラレル」システムでは２種以上のレジンがお互いに物理的につながれたように、たとえばマルチウェルプレートもしくはバイオチップのフォーマットで提示される。
【００２５】
第１の側面では、本発明はレジンのライブライリーを調製する方法に関し、該方法はレジンの多様性を作り出すこと；およびレジンがお互いに分けられて提示されるパラレルシステムで多様性を提供することを含む。好都合な態様では、レジンはクロマトグラフィーレジンである。そのようなレジンは分離法において有用ないずれかの公知のフォーマット、たとえばクロマトグラフィーゲルのような粒子；膜、表面などであってもよい。クロマトグラフィーレジンはイオン交換レジンまたは疎水性相互作用クロマトグラフィー（ＨＩＣ）レジンであってもよい。好都合な態様では、レジンはマルチモーダルイオン交換リガンドを含む。マルチモーダルイオン交換リガンドは公知であり、記載されている。マルチモーダルカチオン交換リガンドおよびそれらの特徴の検討に関しては、たとえば、Ｊｏｈａｎｓｓｏｎ  ｅｔ  ａｌによる、Ｊｏｕｒｎａｌ  ｏｆ  Ｃｈｒｏｍａｔｏｇｒａｐｈｙ  Ａ，１０１６（２００３）３５−４９：“Ｐｒｅｐａｒａｔｉｏｎ  ａｎｄ  ｃｈａｒａｃｔｅｒｉｚａｔｉｏｎ  ｏｆ  ｐｒｏｔｏｔｙｐｅｓ  ｆｏｒ  ｍｕｌｔｉ−ｍｏｄａｌ  ｓｅｐａｒａｔｉｏｎ  ｍｅｄｉａ  ａｉｍｅｄ  ｆｏｒ  ｃａｐｔｕｒｅ  ｏｆ  ｐｏｓｉｔｉｖｅｌｙ  ｃｈａｒｇｅｄ  ｂｉｏｍｏｌｅｃｕｌｅｓ  ａｔ  ｈｉｇｈ−ｓａｌｔ  ｃｏｎｄｉｔｉｏｎｓ”および欧州特許第１０９４８９９号を参照されたい。マルチモーダルアニオン交換リガンドおよびそれらの特徴の検討に関しては、たとえばＪｏｈａｎｓｓｏｎ  ｅｔ  ａｌによる、Ｊｏｕｒｎａｌ  ｏｆ  Ｃｈｒｏｍａｔｏｇｒａｐｈｙ  Ａ，１０１６（２００３）２１−３３：“Ｐｒｅｐａｒａｔｉｏｎ  ａｎｄ  Ｃｈａｒａｃｔｅｒｉｚａｔｉｏｎ  ｏｆ  ｐｒｏｔｏｔｙｐｅｓ  ｆｏｒ  ｍｕｌｔｉ−ｍｏｄａｌ  ｓｅｐａｒａｔｉｏｎ  ｍｅｄｉａ  ａｉｍｅｄ  ｆｏｒ  ｃａｐｔｕｒｅ  ｏｆ  ｎｅｇａｔｉｖｅｌｙ  ｃｈａｒｇｅｄ  ｂｉｏｍｏｌｅｃｕｌｅｓ  ａｔ  ｈｉｇｈ−ｓａｌｔ  ｃｏｎｄｉｔｉｏｎｓ”および米国特許第６，７０２，９４３号を参照されたい。
【００２６】
当該技術分野では公知のように、マルチモーダルイオン交換リガンドは非特異的であり、そのことは、それらが２種以上の異なる生物学的クラスのタンパク質を結合可能であることを意味する。従って、言い換えると、本発明のライブライリーのリガンドはアフィニティークロマトグラフィーリガンドではなく、公知のようにアフィニティークロマトグラフィーリガンドは、１種の単一生物学的クラスのタンパク質、またはその１種の単一サブクラス、それどころか化学種のいずれかだけに結合する能力によって特徴付けられる。
【００２７】
本レジンは、それらがマルチモーダルイオン交換リガンドを含むという意味でマルチモーダルであってもよく、ここではそれぞれのリガンドはその荷電基の他に官能基を提示する。しかし、本発明はまた、それらが確率論的であるという意味でマルチモーダルであるレジンを包含し、そのことは本明細書では、同じ粒子またはキャリアに固定化された異なるリガンドのように、同じ標的との相互作用を可能にするほど近接した異なる官能基をそれらが提示することを意味する。従って、同じ基礎リガンド上に存在する異なる官能基を有する代わりに、それらは別個のリガンド上に提供されるが、お互いに十分に近接し、標的のマルチモーダル結合に帰着しうる。従って、本発明はまた、異なるマルチモーダルリガンドの組み合わせ、および第２の相互作用の量が確率論的構造において変化する態様を包含する。本発明に従って調製されたライブライリーは２以上、たとえば約５または６のように、１０までの複製物を許可してもよい。
【００２８】
このような状況では、「多様性」という用語は、レジン間で少なくとも１つの、ディスクリプターとも表される特性が異なることを意味すると理解される。多様性は、たとえば異なるｐｋａ、疎水性、および／または電荷数を有するリガンドを基礎にしていてもよい。本発明の方法において有用なディスクリプターの付加的な例としては、たとえば分子量、水素結合ドナーおよびアクセプター、異なるｐＨにおけるＬｏｇＤ、異なるｐＨにおける電荷、原子数、リガンド密度、たとえばリガンドを基礎マトリックスにカップリングするスペーサーのようなカップリングケミストリーなどが挙げられる。
【００２９】
先に述べたように、本発明に記載のライブライリーでは、クロマトグラフィーレジンはお互いに物理的に分けられて、すなわち空間的に十分に分けられて提示され、レジン間の妨害となるいずれかの相互作用を妨げ、その独立した解析を可能にする。従って、レジンは２以上のパラレルユニット、たとえばクロマトグラフィーカラムのようないずれか適切なフォーマットに提示されてもよい。そのようなカラムは実験室用には小さくてもよい。従って、本発明の好都合な態様では、レジンは、バイオチップのような平坦な表面に比較して、好ましくは壁を有する、物理的に分けられた容器（ｖｅｓｓｅｌ）、容器（ｃｏｎｔａｉｎｅｒ）またはコンパートメントのシステム中に提示される。好都合な態様では、システムは統合されたパラレルシステムであり、ここではレジンは自動操作に適した一般的に使用されるフォーマットである、マルチウェルプレートのような単一フォーマットの一部である。例となる態様では、プレートは９６ウェルプレートである。それぞれのウェルは問題となっている実験に適切なサイズ、たとえば５０μｌのように、１〜１００μｌからなっていてもよい。当業者は理解するように、それぞれのウェルに異なるレジンを有することは必要でなく；本明細書で検討されたライブライリーの多様性が得られるのなら、２以上のウェルが同じ種類のレジンを含んでいてもよい。一般に、それぞれのライブライリーは１６〜３２のレジンを含んでいてもよい。しかし、本発明はまた、２以上のレジンがクロマトグラフィーカラムでのように、パラレル試験に対して配列される方法を包含し、そのような試験は自動でも手動でもよい。当業者は理解するように、本発明の方法において使用される多様なレジンはお互いに十分に分けられ、抗体のようなタンパク質；ペプチド；核酸；有機分子などのような標的分子の結合および／または溶出に対する独立した試験を可能にするべきである。代わりとなる特有の態様では、多様なレジンは実質的に平坦な表面、たとえばチップまたはバイオチップ上にお互い分けられて提示される。
【００３０】
一態様では、本方法はレジンの２以上のディスクリプターを計算し、その後これらのディスクリプターを多変量解析と共に使用して、レジンの多次元マップを生み出すことを含む。好都合な態様では、多変量解析は、当該技術分野において当業者に公知の方法である主成分分析（ＰＣＡ）である。従って、本発明は、好ましくはコンピュータ手段による、２、３、４、５種の、またはそれよい多いディスクリプターの計算を含んでいてもよい。例となる態様では、方法は４種のレジンディスクリプターを計算すること、およびＰＣＡを使用して第１の４種の主成分によるレジンの４次元マップを生み出すこと、およびマップを指針として使用してレジンを選択することを含む。
【００３１】
第２の側面では、本発明は多様なマルチモーダルイオン交換レジンを含むライブライリーに関する。先に検討したように、そのようなレジンは当該技術分野で公知である。
【００３２】
第１の態様では、本ライブライリーは多様なマルチモーダルアニオン交換レジンライブラリーである。異なるレジンはいずれかのマルチモーダルアニオン交換リガンドを含んでいてもよく；たとえばＪｏｈａｎｓｓｏｎ  ｅｔ  ａｌによる先に言及した論文を参照されたい。リガンドはアミンまたは他の正に荷電した基を含んでいてもよい。機能的アミンは、第１、第２および第３および第４アミン；ヒドラジン、たとえばモノ‐置換ヒドラジンおよびジ‐置換ヒドラジン；ポリアミン；ポリイミン；ポリ‐Ｑ（Ｑは第４アンモニウム基を表す）；アニリン；ならびにヒドロキシルアミンからなる群から選択されうる。一態様では、確率論的レジンは、異なるレベルのフェニル基、ブチル基、ＰＥＧ、フッ素含有リガンドおよび荷電した基と結合したアミン基の１つの型を基礎にする。
【００３３】
別の態様では、本ライブライリーはマルチモーダルカチオン交換レジンライブラリーである。異なるレジンが、カルボキシルまたは他の負に荷電した基を含むリガンドのような、いずれかのマルチモーダルカチオン交換リガンドを含んでいてもよく；たとえばＪｏｈａｎｓｓｏｎ  ｅｔ  ａｌによる先に言及した論文またはＷＯ０１／３８２２８を参照されたい。
【００３４】
第３の側面では、本発明は定義された標的物質の精製に適したリガンドを選択するための本発明に記載のライブライリーの使用に関する。公知のように、市販のクロマトグラフィーの成功にきわめて重要なパラメータは、たとえばタンパク質キャパシティー；タンパク質回収率；化学的安定性；および塩耐性である。本発明は１以上のこれらのパラメータを基礎にした効率的なスクリーニングおよび選択を可能にする。好都合な態様では、本発明は本発明に記載のライブライリーの使用に関し、そのような使用は２以上のスクリーニング操作のような、一連のスクリーニング操作である。そのような使用はクロマトグラフィープロセスをまねることであってもよい。
【００３５】
特有の態様では、本発明はマルチモーダルイオン交換ライブライリーの使用に関し；ここで第１のステップは、たとえば１００より多いような、比較的多数の候補をスクリーニングすることを含み；このライブラリーはレジンの約半数の制限されたライブライリーに対する第１のスクリーニング結果を基礎にして限定され；この第２のライブラリーがスクリーニングされ、コンピュータに補助された多様性評価を使用して、たとえば３０〜４０候補のように、さらに限定された数の候補からなる最終ライブラリーが提供される。たとえばＳＹＢＹＬ（７．１）（登録商標）およびＡＣＤ  Ｌａｂｓ（登録商標）のような、本スクリーニングに利用可能ないくつかの市販のプログラムがある。当業者は理解するように、最適なクロマトグラフィーレジンを確認するための包括的なプロセスにおいて付加的なスクリーニングステップを添加することも可能であり、そのようなプロセスは基本的情報を集めるため；適切な選択基準を樹立するため；および多様性評価のためのはじめのコンピュータに補助されるステップ；ならびにレジン候補を査定するためのクロマトグラフィー評価を含む１以上のラボワークステップを含むことになる。クロマトグラフィー評価に有用なスクリーニングパラメータには、定置洗浄（ＣＩＰ）、異なるタンパク質、結合能力、ｐＨ、伝導度、溶出、選択性、有機溶媒、バッファー、および界面活性剤が挙げられるが、それらに限定されない。
【００３６】
付加的な側面では、本発明はパラレルクロマトグラフィーシステムを使用した少なくとも２種の異なるマルチモーダルイオン交換レジンへの標的物質の相対的結合を解析する方法に関し、該方法は以下のステップ：
（ａ）標的物質を含む溶液を提供すること；
（ｂ）該溶液を少なくとも２種の異なるレジンとパラレルに接触させること；
（ｃ）標的物質をレジンに結合させること；
（ｄ）少なくとも２種の異なる該レジンの相対的結合を査定すること；を含む。
【００３７】
一態様では、パラレルクロマトグラフィーシステムはマルチウェルプレートを含み、ここでは異なるレジンは異なるウェルに提示される。別の態様では、パラレルクロマトグラフィーシステムはパラレルクロマトグラフィーカラムを含む。
【００３８】
結合の査定は、ＵＶ検出のような、フロースルー測定により実行されてもよい。そのような方法は当業者に公知である。
【００３９】
本発明はまた、パラレルクロマトグラフィーシステムを使用して、異なるマルチモーダルイオン交換レジンからの標的物質の溶出を解析する方法を含み、ここでは多様なレジンが溶出特性に関して試験される。溶出は、たとえば、異なる塩濃度のバッファーを添加することによる、および／またはｐＨ条件を変化させることによる伝導度の変化によって、および／またはｐＨ条件を変化させることによって得られてもよい。
【００４０】
本発明の最後の側面は、パラレルシステムで２以上のクロマトグラフィーレジンを提供することを含む、クロマトグラフィーレジンに由来する溶出条件を査定する方法であり、方法は第１実験セットにおけるそれぞれのレジンのｎステップの異なる溶出条件；および第２実験セットにおけるそれぞれのレジンのｍステップの異なる溶出条件からなり、ここでは第１および第２実験セット間の試験条件において、好都合には１ステップの重複がある。好都合な態様では、第３実験セットは第２のセットに従い、ここでは第２および第３セット間に重複がある。それぞれの実験セットは３、４、または５条件のような、いずれか適切な数の条件からなっていてもよい。従って、ｎは３〜５のいずれかの整数であってもよく、そしてｍは３〜５のいずれかの整数であってもよい。好都合な態様では、試験される条件は異なる塩濃度であり、そして重複は１種の塩濃度である。好都合な態様では、本発明の方法は第３実験セットを含み、ここでは第２および第３実験間に重複がある。当業者は理解するように、該方法はまた、第４またはいずれかの数の付加的な実験を含んでいてもよい。この側面の原理は図８で説明される。
図面の詳細な説明
図１は以下の実施例で検討する、カチオン交換リガンド分子ディスクリプターの前処理データのスコアプロット（ＰＣ１／ＰＣ２）である。
【００４１】
図２は以下の実施例で検討する、カチオン交換リガンド分子ディスクリプターの前処理データの拡大スコアプロット（ＰＣ１／ＰＣ２）である。
【００４２】
図３は以下の実施例で検討する、カチオン交換リガンド分子ディスクリプターの前処理データのスコアプロット（ＰＣ３／ＰＣ４）である。
【００４３】
図４は以下の実施例で検討する、前処理データのスコアプロット（ＰＣ３／ＰＣ４）である。
【００４４】
図５は本発明に記載のＰＣＡ分析後の拒絶のためのリガンド候補を示す。
【００４５】
図６は実施例３に記載のスクリーニングを示す。
【００４６】
図７は実施例５に記載のスクリーニングを示す。
【００４７】
図８は異なる溶出条件に対する本発明に記載のライブライリーをスクリーニングする原理を示す。マルチモーダルイオン交換システムの場合、タンパク質負荷は５０ｍＭ以下のカウンターイオン濃度を含むバッファーを使用して実行された。溶出は連続ステップフォーマットで実行された。それぞれの媒体は３種の異なるウェルに負荷され、それぞれのウェルは図８に示すように溶出された。
【実施例】
【００４８】
本発明の実施例は説明のためだけに本明細書に提示され、添付の特許請求の範囲によって定義されるように、本発明を限定すると解釈されるべきではない。
実施例１：マルチモーダルイオン交換レジンの多様なライブラリーの調製
ＩＥＸのためのマルチモーダルリガンドを含むいくつかのゲルを選択する方法
ここで記載される実体は、種々のリガンド密度を持つアガロースに結合したマルチモーダルリガンドを含むレジンである。以下に、試験されることになるレジンの数を減らすために、強化された多様性基準を基礎にしていくつかの実体を選択するために使用される方法が開示される。創薬におけるリガンド選択方法とは対照的に、本発明の手順はリガンド密度も含む。別の違いは、クロマトグラフィー適用ではｐＨが重要な制御因子であるため、種々のｐＨ値が考慮されることである。手順は、実体のいくつかのディスクリプターを計算し、次にこれらのディスクリプターを主成分分析（ＰＣＡ）と一緒に使用して、第１の４種の主成分を持つ実体の４次元マップを生み出すことからなる。選択は指針としてこのマップを使用して実行される（以下を参照されたい）。
分子ディスクリプターの計算
市販のプログラムは創薬においてそれらの特有のアプリケーションを有するように、本発明に従った分子ディスクリプターの計算に使用されうる多くのそのようなプログラムがある。２つの例としてはＳＹＢＹＬ（Ｔｒｉｐｏｓ  Ｉｎｃ）および、ＡＣＤ／Ｌａｂｓ  ｓｕｉｔｅ  ４．０６版由来のプログラムｐＫａおよびＬｏｇＤが挙げられる。分子ディスクリプターの計算のための化合物の構造を調製するために異なるやり方がある。たとえば、１つのＩＳＩＳ（ＭＤＬ  Ｉｎｃ）データベースは計算を促進するためにすべての適切な構造と共に組み立てられた。ＭＤＬフォーマットｓｄｆのファイルはデータベースから運び出され、ＳＹＢＹＬに持ち込まれる。ＳＹＢＹＬで計算されるディスクリプターは分子スプレッドシートのオートフィル機能を使用して計算され、それらは分子量（ＭＷ）、疎水性センター数（Ｈｙｄｒｏｐｈｏｂｅｓ）、水素結合ドナー数（Ｄｏｎｏｒｓ）、水素結合アクセプター数（Ａｃｃｅｐｔｏｒｓ）、回転可能な結合数（ＲｏｔＢｏｎｄｓ）、原子数（ＡｔｏｍＣｏｕｎｔ）、結合数（ＢｏｎｄＣｏｕｎｔｓ）およびキラルセンター数（Ｃｈｉｒａｌｓ）である。ＡＣＤソフトウェアによって計算されたディスクリプターは、ｐＫａプログラムおよび結果の目視検査を使用した、ｐＨ３、７および１１における荷電、ならびにｐＨ３、７および８におけるオクタノールと水間の計算された分配係数（ＣＬｏｇＤ）であった。第４級窒素原子を持つ構造のＣＬｏｇＤを計算することは不可能であり、そのような構造に対しては、ディスクリプターはプロトン化された第３級窒素を持つ類似の構造のディスクリプターとして推測された。結局、そして分子が事実上双極性イオンである場合、そしてこのディスクリプター（双極性イオン）が０にセットされなかった場合、これは１と認められた。
レジンのディスクリプターの計算
計算される場合、リガンドの固定化の程度を考慮する実体のディスクリプター。たとえば、固定化の程度ｘμｍｏｌ／ｍｌのリガンドＸとｙμｍｏｌ／ｍｌを持つリガンドＹを組み合わせた場合、組み合わせのディスクリプターはディスクリプター（Ｘ）＊ｘ／１００＋ディスクリプター（Ｙ）＊ｙ／１００によって与えられた。
【００４９】
ＰＣＡ分析のために使用可能な多くの市販のプログラムがあり；たとえばプログラム「Ｔｈｅ  ｕｎｓｃｒａｍｂｌｅｒ」（ＣＡＭＯ  Ｎｏｒｗａｙ）９．０版は４成分を必要とする主成分分析（ＰＣＡ）に使用された。著しく逸脱した対象を除いて、それぞれのライブラリーに対して１つのＰＣＡモデルが作成された。
ＰＣＡ分析によるマルチモーダルイオン交換リガンドの選択
ディスクリプターデータセットにおけるデータは主成分分析（ＰＣＡ）により説明された。ＰＣＡは多変量技術であり、その中でいくつかの相関する変数はより小さな非相関変数のセットに変換される。主成分モーダルを見る１方法は変換であり、そのような変換では、多くの元の次元がより少ない次元を持つ別の同等のシステムに変換される（Ｊ．Ｅ．Ｊａｃｋｓｏｎ，Ａ  ｕｓｅｒｓ  ｇｕｉｄｅ  ｔｏ  ｐｒｉｎｃｉｐａｌ  ｃｏｍｐｏｎｅｎｔｓ，Ｊｏｈｎ  Ｗｉｌｅｙ  ＆  Ｓｏｎｓ，１９９１）。データはＰＣＡの前に集められ、１／Ｓｄｅｖによって評価された。スコアプロットでは、お互いに接近したオブジェクト（ｏｂｊｅｃｔ）（リガンド）は化学的に類似し、お互いに離れたものは類似しない。オリジンから離れたオブジェクトは両極端であり、オリジンに接近したものは最も典型的である。スコアプロットＰＣ１／ＰＣ２においてお互いに接近したオブジェクト／リガンドはグループ分けされていて、それぞれの群のリガンドは除かれることになる候補として評価されている。スコアプロットＰＣ１／ＰＣ２に由来する候補がライブラリーから除外されうるかどうかは、スコアプロットＰＣ３／ＰＣ４から決定される。ＰＣ１／ＰＣ２プロットにおいてお互いに接近したリガンド対はまた、それらの１つを除外するために、ＰＣ３／ＰＣ４プロットにおいてお互いに接近して配置されるべきである。
マルチモーダルカチオン交換ライブライリーに由来する結果
いくつかのマルチモーダルカチオン交換リガンドの分子ディスクリプターのスコアプロット（ＰＣ１／ＰＣ２）は図１および図２（拡大プロット）に提示される。いくつかの群（お互いに接近したリガンドからなる）は丸く囲まれている（図１および２におけるグループＡ〜Ｏ）。これは説明的な例にすぎず、グループのサイズは変化しうる。スコアプロット（ＰＣ１／ＰＣ２）はデータセットにおける全変動の６５％を説明することが認められうる。従って、ＰＣ１／ＰＣ２プロットにおいて丸で囲まれたリガンドはまた、ＰＣ３／ＰＣ４プロットにおいて印を付けられている（図３および４）。ＰＣ３／ＰＣ４プロットから、全変動の２１％がこれらの主成分によって説明されることが理解されうる。このことは、４種のＰＣがデータセットにおける全変動の８６％を説明することを意味する。この事例では、これがリガンド特性における変動を表現するために十分であると我々は結論を下している。従って、２つのスコアプロット（ＰＣ１／ＰＣ２およびＰＣ３／ＰＣ４）においてお互いに接近して位置するリガンドは、ｐａｒにおけるリガンドプロトタイプの１つが除外されうることを意味する。この実施例に関する拒絶のためのリガンド候補は図５に示す。
実施例２：マルチモーダルカチオン交換レジンライブラリーの調製
以下のライブラリーは先の実施例１に記載された原理に従って調製された。本マイクロタイタープレートは１６プロトタイプ（１６ｘ２レベルｘ３デュプリケート＝９６）を含むことになるが、２４プロトタイプも可能である（２４ｘ２レベルｘ２デュプリケート＝９６）。当業者は理解するように、より多様なライブラリーを生み出すために、たとえば２９の異なるリガンドを伴うシナリオが考慮されうる（（１０＋１９ｘ２レベル）ｘ２デュプリケート＝９６）ように、レジンの一部はただ１つのレベルの置換を伴って存在することが可能であった。
【００５０】
プロトタイプの２つのロットはカルボキシル基を基礎にした。第１のカルボキシル基含有プロトタイプはスカフォールドとしてホモシステインチオラクトンを使用して作り出された。予備の選択は本発明者らの経験を基礎にした。代わりの構造は、結合力の低下と潜在的に促進される溶出を提示しうる基を含む。プロトタイプは以下に要約される。すべてのレジンはスタンダードケミストリー（たとえば、ＷＯ０３／０２４５８８，Ｔｈｅｖｅｎｉｎ  ｅｔ  ａｌを参照されたい）を使用して合成され、約５０〜６０μｍｏｌ／ｍｌの第１および約１００〜１２０μｍｏｌ／ｍｌの第２レベルの２種のレベルのリガンド置換を伴った。
【００５１】
【化１】
2010515917.tif 000002
【００５２】
カルボキシル基‐含有プロトタイプの第２ロットは確率的構築を基礎にし、最終レジンにおいて多様な相互作用間に異なる比を有する可能性を許した。プロトタイプは以下に要約される。
【００５３】
【化２】
2010515917.tif 000003
【００５４】
マルチモーダルカチオン交換リガンドの第２群は以下に記載のもののような、リガンドとしてスルホン基を基礎にしたプロトタイプであった。
【００５５】
【化３】
2010515917.tif 000004
【００５６】
スルホン基確率的プロトタイプを基礎にした付加的なマルチモーダルカチオン交換リガンドプロトタイプは以下の確率的構築であった：
【００５７】
【化４】
2010515917.tif 000005
【００５８】
スルホン基を基礎にしたマルチモーダルカチオン交換リガンドプロトタイプの第３ロットは、オンサーフェスエクステンダー（ｏｎ  ｓｕｒｆａｃｅ  ｅｘｔｅｎｄｅｒ）および重合法を使用して作り出された。キャリアにスルホプロピルリガンドを結合するためのエクステンダーとしてデキストランが使用される場合、余分な結合キャパシティーが生み出される。
【００５９】
【化５】
2010515917.tif 000006
【００６０】
マルチモーダルカチオン交換レジンの第３および最後の群はリガンドとしてのホスホン酸基を基礎にした。以下はいくつかの一般的なマルチモーダル構造である。
【００６１】
【化６】
2010515917.tif 000007
【００６２】
ホスホン酸基を含む確率的構築は以下の通りであった。
【００６３】
【化７】
2010515917.tif 000008
【００６４】
ホスホン酸基を基礎にしたマルチモーダルカチオン交換リガンドプロトタイプの第３ロットは以下のように、オンサーフェスエクステンダーおよび重合法を使用して作り出された。
【００６５】
【化８】
2010515917.tif 000009
【００６６】
実施例３：タンパク質（インスリン）を伴うマルチモーダルカチオン交換レジン（ＭＭＣ）のスクリーニング
９６‐ウェルフィルタープレート（底にフィルターのあるマイクロタイタープレート）に、自動マルチチャンネルポンプを使用して４００μｌの種々のマルチモーダルカチオン交換レジン溶液を載せ、沈降ゲル２０μｌのベッド容量を得た。種々のゲルは３ｘ２００μｌの５０ｍＭ酢酸ナトリウムｐＨ４．０をマルチチャンネルピペットで加えることにより平衡化した。はじめの２回の洗浄のために、溶液は減圧によりベッドを通し、３回目の洗浄のために、ＪＳ−５．３ローターを備えたＢｅｃｋｍａｎ  Ｃｏｕｌｔｅｒ  ＡｖａｎｔｉＪ−２０ＸＰを使用して１３００ｒｐｍ（約３５０ｒｃｆ）で１分間遠心分離した。５０ｍＭ酢酸ナトリウムｐＨ２．８に溶かした５０μｌ（０．５ｍｇ／ｍｌ）インスリン（Ｓｉｇｍａ）はフィルタープレートに載せた。レジンは先に記載のように３ｘ２００μｌの５０ｍＭ  酢酸ナトリウムｐＨ４．０により洗浄し、５０ｍＭ酢酸ナトリウムｐＨ４．０中、２００μｌの以下の連続した異なる塩濃度：５０ｍＭ、１００ｍＭ、２００ｍＭ、５００ｍＭおよび１０００ｍＭで溶出した。
【００６７】
溶離液は、Ｓｐｅｃｔｒａ  Ｍａｘ  ｐｌｕｓプレートリーダーを使用して２８０ｎｍでＵＶ吸光度を測定することにより分析した。
【００６８】
試料は濃度０．５ｍｇ／ｍｌに至るまで５０ｍＭ酢酸ナトリウムｐＨ２．８に溶解した純粋なインスリンであった。
・平衡化            ３ｘ２００μ  ５０ｍＭ酢酸ナトリウムｐＨ３．２
・試料添加          ５０μｌ（０．５ｍｇ／ｍｌ）
・洗浄              ３ｘ２００μｌ  ５０ｍＭ酢酸ナトリウムｐＨ３．２
溶出：            １００μｌ溶出バッファー
１  ５０ｍＭ  ＮａＣｌ中２００μｌ  ５０ｍＭ酢酸ナトリウム  ｐＨ３．２
２  １００ｍＭ  ＮａＣｌ中                                    ｐＨ３．２
３  ２００ｍＭ  ＮａＣｌ中                                    ｐＨ３．２
４  ５００ｍＭ  ＮａＣｌ中                                    ｐＨ３．２
５  １０００ｍＭ  ＮａＣｌ中                                  ｐＨ３．２
溶離液は２８０ｎｍにおけるＵＶ吸収を記録することにより分析した。
【００６９】
本実施例では、異なるレジン間の選択性に著しい違いがある。レジンプロトタイプのいくつか、たとえばＭＭＣ１６および１８は、フロースルー（ＦＴ）における高い吸光度のためにいずれのインスリンも結合しないように見える。ＭＭＣ７および１１の場合、それらがＦＴにおける高い吸光度のためにまるで結合能力が低いように見えるが、同時に少なくとも高い塩濃度においてカラムからインスリンを溶出することが可能である。第３の媒体グループは、インスリンを非可逆的に結合するもの、たとえばＭＭＣ３および３０である。ＦＴにおいて、または溶離液においてインスリンは全く検出することができない。
【００７０】
ＭＭＣ１５および２４は、それらがＦＴにおいてインスリンの損失を全く示さず、溶出中に高い回収率を示したため、インスリンを精製することにおける最も優れた候補であるように見えた。
実施例４：マルチモーダルアニオン交換レジンライブラリーの調製
以下のライブラリーは先の実施例１に記載の原理に従って調製された。リガンドのリストは３７の異なるリガンドからなり、その多様性の供給源としてリガンド置換レベルを加えた後、５２のプロトタイプに帰着する。
【００７１】
【化９】
2010515917.tif 000010
【００７２】
【化１０】
2010515917.tif 000011
【００７３】
【化１１】
2010515917.tif 000012
【００７４】
実施例５：タンパク質（インスリン）を伴うマルチモーダルアニオン交換（ＭＭＡ）ライブラリーのスクリーニング
この実施例はマルチモーダルアニオン交換レジンに対して、先に記載の手順（実施例３）に基本的に従ったが、マルチモーダルカチオン交換レジンおよび以下に記載のバッファーを使用した。３２の候補レジンを含むマルチモーダルアニオン交換リガンドライブラリーは、標的としてインスリンを使用してスクリーニングされた。試料は濃度０．５ｍｇ／ｍｌに至るまで５０ｍＭ  Ｔｒｉｓ−ＨＣｌ  ｐＨ８．５に溶解した純粋なインスリンであった。
・平衡化            ３ｘ２００μｌ  ５０ｍＭ  Ｔｒｉｓ−ＨＣｌ  ｐＨ８．５
・試料添加          ５０μｌ（０．５ｍｇ／ｍｌ）
・洗浄              ３ｘ２００μｌ  ５０ｍＭ  Ｔｒｉｓ−ＨＣｌ  ｐＨ８．５
溶出：            １００μｌ  溶出バッファー
１  ５０ｍＭ  ＮａＣｌ中２００μｌ  ５０ｍＭ  Ｔｒｉｓ−ＨＣｌ  ｐＨ８．５
２  １００ｍＭ  ＮａＣｌ中                                      ｐＨ８．５
３  ２００ｍＭ  ＮａＣｌ中                                      ｐＨ８．５
４  ５００ｍＭ  ＮａＣｌ中                                      ｐＨ８．５
５  １０００ｍＭ  ＮａＣｌ中                                    ｐＨ８．５
本実施例では、レジン間に大きな多様性があり、溶離液画分の吸光度によって判断すると、それらは均一に広がっているように見える。図１では、はみ出し、そして注釈を加えられることになるいくつかのレジンがある。
【００７５】
ＭＭＡ２および２１は、それらのフロースルー（ＦＴ）および洗浄におけるかなり高い吸光度のために結合が十分でないことを示し、インスリンの結合および溶出に適した候補ではないように見える。それらはまた、溶出中の低い回収率を示す。それらの媒体を除いて残りの大部分は、かなり効果的なやり方でインスリンを結合し、溶出するように見え、その場合ＭＭＡ１０は残りのものよりわずかに優れているように見える。
【図１】
2010515917.tif 000013
【図２】
2010515917.tif 000014
【図３】
2010515917.tif 000015
【図４】
2010515917.tif 000016
【図５】
2010515917.tif 000017
【図６】
2010515917.tif 000018
【図７】
2010515917.tif 000019
【図８】
2010515917.tif 000020
【国際調査報告】
2010515917.tif 000021
2010515917.tif 000022
2010515917.tif 000023
2010515917.tif 000024
2010515917.tif 000025